(57)【要約】【課題】  発表者によるプレゼンテーションを正確かつスムーズに行うことを支援することができると共に進捗の把握を容易にすることができる。【解決手段】  プレゼンテーション支援装置１６は、発表者２２が説明するスライド画像をプロジェクター１４を出力する。プロジェクター１４は、入力されたスライド画像を拡大してスクリーン１２に投影する。プレゼンテーション支援装置１６は、リモコン２０から送信されたリモコン信号に応じてスライド画像を選択しプロジェクター１４へ出力する。発表者２２の音声は、音声マイク１８を介してプレゼンテーション支援装置１６へ送信される。プレゼンテーション支援装置１６は、入力された発表者２２の音声信号を音声認識処理し、この音声認識結果に基づいて、スライド画像に対応したキーワードを発表者２２が発声したか否かを判断し、発声していない場合には警告する。【選択図】          図１
2006085418.tif 000002
【特許請求の範囲】
【請求項１】
入力された画像をスクリーンに投影する投影装置にプレゼンテーション画像を出力するプレゼンテーション支援装置であって、
前記プレゼンテーション画像の説明者の音声を入力する音声入力手段と、
入力された説明者の音声を認識し、当該認識した音声の音声認識データを出力する音声認識手段と、
前記スクリーンに投影されたプレゼンテーション画像の説明に関する予め定めたキーワードを記憶した記憶手段と、
前記音声認識データに前記キーワードが含まれているか否かを判断する判断手段と、
前記音声認識データに前記キーワードが含まれていない場合に警告する警告手段と、
を備えたことを特徴とするプレゼンテーション支援装置。
【請求項２】
前記記憶手段は、前記キーワードと、前記プレゼンテーション画像に対応したキーワードに関する部分画像との対応関係を記憶し、
前記警告手段は、前記音声認識データに前記キーワードが含まれていない場合に、当該キーワードに対応した部分画像を拡大した拡大画像を前記投影装置に出力することを特徴とする請求項１記載のプレゼンテーション支援装置。
【請求項３】
前記プレゼンテーション画像の切り替えを指示する指示手段をさらに備え、前記判断手段は、前記指示手段によりプレゼンテーション画像の切り替えが指示された場合に、前記プレゼンテーション画像に対応したキーワードのうち未発声のキーワードが存在するか否かを判断し、前記警告手段は、未発声のキーワードが存在する場合に警告することを特徴とする請求項１又は請求項２記載のプレゼンテーション支援装置。
【請求項４】
入力された画像をスクリーンに投影する投影装置にプレゼンテーション画像を出力するプレゼンテーション支援方法であって、
前記プレゼンテーション画像の説明者の音声を入力し、
入力された説明者の音声を認識し、当該認識した音声の音声認識データを出力し、
前記音声認識データに前記スクリーンに投影されたプレゼンテーション画像の説明に関する予め定めたキーワードが含まれているか否かを判断し、
前記音声認識データに前記キーワードが含まれていない場合に警告する、
ことを特徴とするプレゼンテーション支援方法。
【請求項５】
コンピュータに、入力された画像をスクリーンに投影する投影装置にプレゼンテーション画像を出力させるためのプレゼンテーション支援プログラムであって、
前記プレゼンテーション画像の説明者の音声を入力するステップと、
入力された説明者の音声を認識し、当該認識した音声の音声認識データを出力するステップと、
前記音声認識データに前記スクリーンに投影されたプレゼンテーション画像の説明に関する予め定めたキーワードが含まれているか否かを判断するステップと、
前記音声認識データに前記キーワードが含まれていない場合に警告するステップと、
を含む処理をコンピュータに実行させることを特徴とするプレゼンテーション支援プログラム。
【発明の詳細な説明】
【技術分野】
【０００１】
本発明は、プレゼンテーション支援装置、プレゼンテーション支援方法、及びプレゼンテーション支援プログラムに関し、特に、プレゼンテーション画像をスクリーンに拡大投影するプロジェクターを用いてプレゼンテーションを行う場合におけるプレゼンテーション支援装置、プレゼンテーション支援方法、及びプレゼンテーション支援プログラムに関する。
【背景技術】
【０００２】
従来のプレゼンテーションでは、発表する内容を透明のシートに印刷し、これをＯＨＰ（オーバーヘッドプロジェクター）によりスクリーンに投影することにより行うのが一般的であったが、近年では、パーソナルコンピュータ（ＰＣ）と液晶プロジェクタを用いて行うことが多くなってきた。ＰＣを用いる場合、プレゼンテーションソフトの機能によりグラフィックや動画等も簡単に扱うことができるため非常に便利である。
【０００３】
通常、発表者は発表内容を良く理解しているため、発表内容のシナリオ原稿を読まなくてもスクリーンに投影された発表スライドを見るだけでプレゼンテーションを行うことが可能な場合が多いと考えられるが、国際学会での発表等、外国語でプレゼンテーションを行う場合には、事前にシナリオ原稿を用意しておき、これを読みながらプレゼンテーションしなければならない場合もある。この場合、事前にシナリオ原稿を紙に印刷して出力する準備が必要となる、手にシナリオ原稿を持って発表すると発表スライドを切り替える際にシナリオ原稿をめくる必要があり目立つ、発表会場は暗い場合が多くシナリオ原稿を読みづらい、緊張によりどこまでシナリオ原稿を読んだかわからなくなる、といったデメリットがある。
【０００４】
プレゼンテーションをスムーズに進行させるためのシステムとしては、例えば特許文献１には、説明者が持つ指示具によりページ送り等の予め決められた操作を行うことができるシステムが提案されている。また、特許文献２には、ディスプレイ装置の両側に操作部を設けたシステムが提案されている。
【０００５】
また、特許文献３には、作成された文書を解析し、解析された文書を発表形式表現に変換したものを音声合成により読み上げることにより、プレゼンテーション用の原稿作成と同時に、プレゼンテーション内容や方法を確認することができるシステムが提案されている。
【特許文献１】特開２０００−２０７１２２号公報
【特許文献２】特開２００１−３５６８６８号公報
【特許文献３】特開平７−３３４０７５号公報
【発明の開示】
【発明が解決しようとする課題】
【０００６】
しかしながら、上記従来技術は何れも、プレゼンテーションの進捗状況を把握しやすくし、発表をスムーズに行うことを支援することができるものではなかった。
【０００７】
本発明は上記事実を考慮して成されたものであり、発表者によるプレゼンテーションを正確かつスムーズに行うことを支援することができると共に進捗の把握を容易にすることができるプレゼンテーション支援装置、プレゼンテーション支援方法、及びプレゼンテーション支援プログラムを得ることを目的とする。
【課題を解決するための手段】
【０００８】
上記目的を達成するために、請求項１記載の発明は、入力された画像をスクリーンに投影する投影装置にプレゼンテーション画像を出力するプレゼンテーション支援装置であって、前記プレゼンテーション画像の説明者の音声を入力する音声入力手段と、入力された説明者の音声を認識し、当該認識した音声の音声認識データを出力する音声認識手段と、  前記スクリーンに投影されたプレゼンテーション画像の説明に関する予め定めたキーワードを記憶した記憶手段と、前記音声認識データに前記キーワードが含まれているか否かを判断する判断手段と、前記音声認識データに前記キーワードが含まれていない場合に警告する警告手段と、を備えたことを特徴とする。
【０００９】
この発明に係るプレゼンテーション支援装置は、入力された画像をスクリーンに投影する投影装置にプレゼンテーション画像を出力する。説明者は、スクリーンに投影されたプレゼンテーション画像を参照しながらプレゼンテーションを行う。
【００１０】
プレゼンテーション画像の説明者の音声は、音声入力手段により入力され、音声認識手段によって音声認識される。音声認識手段は、認識した音声の音声認識データを例えば文字列データとして出力する。
【００１１】
また、記憶手段には、スクリーンに投影されたプレゼンテーション画像の説明に関する予め定めたキーワードが記憶されている。このキーワードは、例えばスクリーンに投影されたプレゼンテーション画像に関して説明する場合に必ず説明すべき重要な言葉等である。
【００１２】
判断手段は、音声認識データに記憶手段に記憶されたキーワードが含まれているか否かを判断し、警告手段は、音声認識データにキーワードが含まれていないと判断された場合には、それを警告する。
【００１３】
このように、説明者の音声を認識し、認識結果にキーワードが含まれていない場合には、それを警告するので、説明者がキーワードを忘れていたような場合には注意を喚起し、説明を促すことができる。これにより、プレゼンテーションを正確かつスムーズに行うことを支援することができると共に、進捗の把握も容易にすることができる。
【００１４】
なお、請求項２に記載したように、前記記憶手段は、前記キーワードと、前記プレゼンテーション画像に対応したキーワードに関する部分画像との対応関係を記憶し、前記警告手段は、前記音声認識データに前記キーワードが含まれていない場合に、当該キーワードに対応した部分画像を拡大した拡大画像を前記投影装置に出力するようにしてもよい。
【００１５】
これにより、説明者がキーワードを忘れていたような場合には、そのキーワードに対応したプレゼンテーション画像に含まれる部分画像が拡大されてスクリーンに投影されるため、より明確に警告することができる。なお、部分画像を点滅させたり、部分画像の付近に警告するためのマークを表示させる等して警告するようにしてもよい。
【００１６】
また、請求項３に記載したように、前記プレゼンテーション画像の切り替えを指示する指示手段をさらに備え、前記判断手段は、前記指示手段によりプレゼンテーション画像の切り替えが指示された場合に、前記プレゼンテーション画像に対応したキーワードのうち未発声のキーワードが存在するか否かを判断し、前記警告手段は、未発声のキーワードが存在する場合に警告するようにしてもよい。これにより、プレゼンテーション画像が次のページに切り替えられる前に説明者に警告されるため、不要なページの切り替えを防ぐことができる。
【００１７】
請求項４記載の発明は、入力された画像をスクリーンに投影する投影装置にプレゼンテーション画像を出力するプレゼンテーション支援方法であって、前記プレゼンテーション画像の説明者の音声を入力し、入力された説明者の音声を認識し、当該認識した音声の音声認識データを出力し、前記音声認識データに前記スクリーンに投影されたプレゼンテーション画像の説明に関する予め定めたキーワードが含まれているか否かを判断し、前記音声認識データに前記キーワードが含まれていない場合に警告することを特徴とする。
【００１８】
この方法によれば、プレゼンテーションを正確かつスムーズに行うことを支援することができると共に、進捗の把握も容易にすることができる。
【００１９】
請求項５記載の発明は、コンピュータに、入力された画像をスクリーンに投影する投影装置にプレゼンテーション画像を出力させるためのプレゼンテーション支援プログラムであって、前記プレゼンテーション画像の説明者の音声を入力するステップと、入力された説明者の音声を認識し、当該認識した音声の音声認識データを出力するステップと、前記音声認識データに前記スクリーンに投影されたプレゼンテーション画像の説明に関する予め定めたキーワードが含まれているか否かを判断するステップと、前記音声認識データに前記キーワードが含まれていない場合に警告するステップと、を含む処理をコンピュータに実行させることを特徴とする。
【００２０】
このプログラムをコンピュータに実行させることより、プレゼンテーションを正確かつスムーズに行うことを支援することができると共に、進捗の把握も容易にすることができる。
【発明の効果】
【００２１】
本発明によれば、発表者によるプレゼンテーションを正確かつスムーズに行うことを支援することができると共に進捗の把握を容易にすることができる、という効果を有する。
【発明を実施するための最良の形態】
【００２２】
以下、本発明の実施形態について説明する。
【００２３】
図１には、本発明に係るプレゼンテーションシステム１０の概略構成を示した。プレゼンテーションシステム１０は、スクリーン１２、プロジェクター１４、プレゼンテーション支援装置１６、音声マイク１８、及びリモコン２０を含んで構成されている。
【００２４】
プレゼンテーション支援装置１６は、例えばパーソナルコンピュータ等で構成され、発表者２２が発表する内容のスライド画像（プレゼンテーション画像）をプロジェクター１４へ出力する。プロジェクター１４は、プレゼンテーション支援装置１６からのスライド画像を拡大してスクリーン１２に投影する。
【００２５】
リモコン２０は、スクリーン１２に投影されたスライド画像を切り替えるための操作装置であり、例えば次ページ、前ページ、ページ番号指定等の操作を行うことができる。発表者２２がリモコン２０を操作することにより、操作内容に応じたリモコン信号がプレゼンテーション支援装置１６へ送信される。プレゼンテーション支援装置１６では、受信したリモコン信号に応じてスクリーンに投影すべきスライド画像を選択し、プロジェクター１４へ出力する。これにより、プロジェクター１４に投影されるスライド画像が切り替えられる。
【００２６】
発表者２２の音声の音声信号は、例えば音声マイク１８によってプレゼンテーション支援装置１６へ送信される。なお、音声マイク１８は、無線のマイクでもよいし、有線のマイクでもよい。
【００２７】
プレゼンテーション支援装置１６では、入力された発表者２２の音声信号に基づいて音声認識処理を行い、音声認識結果に基づいて、スクリーン１２に投影されたスライド画像に対応したキーワードを発表者２２が発声したか否かを判断し、発声していない場合には、その旨を警告する（詳細は後述）。
【００２８】
図２には、プレゼンテーション支援装置１６の概略構成を示すブロック図を示した。プレゼンテーション支援装置１６は、音声入力部３０、音声認識部３２、表示部３４、操作部３６、記憶部３８、リモコン受光部４０、通信部４２、及び各部を統括制御する制御部４４を含んで構成されている。
【００２９】
音声入力部３０は、音声マイク１８からの音声信号を受信して、音声認識部３２へ出力する。音声認識部３２は、音声入力部３０からの音声信号に基づいて音声認識処理を行い、認識した音声の文字列データを出力する。なお、音声認識部３２の音声認識方法としては特定話者の音声を認識する方法でもよいし、不特定話者の音声を認識する方法の何れでもよいが、特定話者の音声を認識する場合には、特定話者の音声を登録する必要がある。
【００３０】
表示部３４は、液晶ディスプレイ等で構成され、プロジェクター１４へ出力するスライド画像等の各種画像を表示する。
【００３１】
操作部３６は、例えばキーボードやマウス、ポインティングデバイス等を含んで構成される。
【００３２】
記憶部３８は、スライド画像を表示部３４に表示したりプロジェクター１４へ出力したりするためのプレゼンテーションプログラム等の各種プログラム、スライド画像等の各種データ、後述するキーワードテーブル等が記憶される。
【００３３】
リモコン受光部４０は、リモコン２０からのリモコン信号を受信して制御部４４へ出力する。
【００３４】
通信部４２は、プロジェクター１４へスライド画像を出力したりプロジェクター１４と各種データや制御信号の授受を行うためのものである。通信部４２とプロジェクター１４との通信方式は無線通信でもよいし有線通信でもよい。
【００３５】
プレゼンテーション支援装置１６がプロジェクター１４へ出力するスライド画像は、例えば図３に示すように、複数のオブジェクト画像（部分画像）を含んで構成される。例えば、１ページ目のスライド画像Ｐ１は、オブジェクト画像ＯＢＪ１、ＯＢＪ２、ＯＢＪ３を含んで構成されており、２ページ目のスライド画像Ｐ２は、オブジェクト画像ＯＢＪ４、ＯＢＪ５、ＯＢＪ６を含んで構成されている。なお、オブジェクト画像には、写真や図形等のイメージ画像の他、テキスト画像も含まれる。
【００３６】
このように、各スライド画像は、少なくとも１つ以上のオブジェクト画像を含んで構成される。従って、スライド画像のスライド画像データは、オブジェクト画像のオブジェクト画像データを含んで構成され、各スライド画像のスライド画像データによりプレゼンテーションファイルが構成される。なお、各オブジェクト画像にはオブジェクト名が付与され、このオブジェクト名によりオブジェクト画像を特定することができる。
【００３７】
また、発表者２２がスクリーン１２に投影されたスライド画像の各オブジェクト画像について説明する際には、そのオブジェクト画像に関する重要なキーワードを必ず説明する必要がある場合がある。例えば図３に示すように、スライド画像Ｐ１に含まれるオブジェクト画像ＯＢＪ１は、‘Ａ’というキーワード（文字列）が重要なキーワードであり、同様にオブジェクト画像ＯＢＪ２は‘Ｂ’が重要なキーワードである。なお、２ページ目のスライド画像Ｐ２に含まれるオブジェクト画像ＯＢＪ４のように、１つのオブジェクト画像に関して複数のキーワード‘Ｄ’、‘Ｅ’が含まれる場合もあり、また、オブジェクト画像ＯＢＪ６のようにキーワードを含まない場合もある。
【００３８】
記憶部３８には、図４に示すような各スライド画像のキーワードとオブジェクト画像との対応関係に関するキーワードテーブル５０が記憶されている。
【００３９】
キーワードテーブル５０は、図４に示すように、プレゼンテーションファイルに含まれるスライド画像のページＮｏ、スライド画像に含まれるオブジェクト画像のオブジェクト名、キーワード、発声フラグとの対応関係を表すデータである。
【００４０】
制御部４４では、音声認識部３２により音声認識された発表者２２の音声の文字列データとキーワードテーブル５０とに基づいて発表者２２がキーワードを発声したか否かを判断する。そして、キーワードを発声していない場合には、そのキーワードに対応したオブジェクト画像を拡大した画像をプロジェクター１４に出力してスクリーン１２に表示させる等の方法により発表者２２に対して警告する。これにより、発表者２２は重要なキーワードを説明していないことを認識することができ、説明の漏れを防ぐことができると共に、発表の進捗状況を容易に把握することができる。
【００４１】
次に、本実施形態の作用として、プレゼンテーション支援装置１６で実行される制御ルーチンについて、図５に示すフローチャートを参照して説明する。
【００４２】
なお、図５に示す制御ルーチンは、プレゼンテーション支援装置１６においてプレゼンテーションファイルの読み込みが指示され、プレゼンテーションプログラムが起動されると実行される。
【００４３】
まず、ステップ１００では、制御部４４が、プレゼンテーションファイルに含まれるスライド画像の１ページ目のスライド画像データを通信部４２を介してプロジェクター１４に出力する。これにより、１ページ目のスライド画像Ｐ１の拡大画像がスクリーン１２に投影される。発表者２２は、スクリーン１２に投影されたスライド画像Ｐ１を参照しながら内容について説明する。発表者２２の音声は、音声マイク１８によって拾われて音声入力部３０に入力される。
【００４４】
ステップ１０２では、音声入力部３０に発表者２２の音声が入力されたか否かを判断する。そして、音声が入力された場合には、ステップ１０４へ移行し、音声が入力されていない場合には、ステップ１１０へ移行する。
【００４５】
ステップ１０４では、音声入力部３０に入力された音声信号について音声認識部３２が音声認識処理し、文字列データとして制御部４４へ出力する。
【００４６】
次のステップ１０６では、制御部４４は、音声認識部３２からの文字列データとキーワードテーブル５０とに基づいて、スクリーン１２に投影されたスライド画像Ｐ１に関するキーワードを発声したか否かを判断する。
【００４７】
具体的には、入力された文字列データの中に、スクリーン１２に投影されたスライド画像Ｐ１に関するキーワードが含まれるか否かを判断する。１ページ目のスライド画像Ｐ１の場合には、図４に示すキーワードテーブル５０を参照することにより、３つのキーワード‘Ａ’、‘Ｂ’、‘Ｃ’が含まれていることがわかるので、入力された文字列データの中に‘Ａ’、‘Ｂ’、‘Ｃ’の文字列が含まれているか否かを判断する。
【００４８】
そして、音声認識部３２から入力された文字列データの中にスクリーン１２に投影されたスライド画像に対応したキーワードが含まれていた場合には、ステップ１０８へ移行し、そのキーワードの発声フラグが制御部４４により書き換えられる。具体的には、制御部４４は、図４に示す発声フラグを、発声済みを表すデータ（例えば‘１’）に書き換える。なお、発声フラグは、デフォルトでは未発声を表すデータ（例えば‘０’）に予め設定されている。
【００４９】
これにより、キーワードテーブル５０を参照することにより、キーワードを発声したか否かを容易に把握することができる。
【００５０】
ステップ１１０では、制御部４４は、リモコン２０からページ切り替えを指示するリモコン信号がリモコン受光部４０により受信されたか否かを判断する。そして、ページ切り替えが指示された場合には、ステップ１１２へ移行し、ページ切り替えが指示されていない場合には、ステップ１０２へ戻って上記と同様の処理を行う。
【００５１】
ステップ１１２では、制御部４４は、スクリーン１２に投影されたスライド画像に関するキーワードのうち未発声のキーワードが存在するか否かを判断する。すなわち、図４に示すキーワードテーブル５０を参照し、スクリーン１２に投影されたスライド画像に関するキーワードの発声フラグが全て発声済みになっているか否かを判断する。例えば１ページ目のスライド画像Ｐ１の場合には、キーワード‘Ａ’、‘Ｂ’、‘Ｃ’の発声フラグが全て発声済みとなっているか否かを判断する。
【００５２】
そして、未発声のキーワードが存在する場合には、ステップ１１６へ移行する。一方、未発声のキーワードが存在しない場合、すなわちスクリーン１２に投影されたスライド画像に関するキーワードを全て発声済みの場合には、ステップ１００へ戻り、切り替えが指示されたページのスライド画像のスライド画像データをプロジェクター１４へ出力する。これによりスクリーン１２に投影されるスライド画像が切り替わる。
【００５３】
ステップ１１６では、警告処理を行う。具体的には、キーワードテーブル５０を参照し、未発声のキーワードに対応したオブジェクト画像のオブジェクト名を取得し、このオブジェクト名に対応したオブジェクト画像データを拡大した画像のデータをプロジェクター１４へ出力する。これにより、未発声のキーワードに対応したオブジェクト画像が拡大されてスクリーン１２に投影される。これにより、発表者２２は、そのキーワードに関して説明していないことを容易に認識することができ、発表漏れを防いで正確な発表を支援することができると共に、発表に進捗状況を把握することができる。
【００５４】
なお、警告方法としてはこれに限らず、他の方法により警告してもよい。例えば、未発声のキーワードに対応したオブジェクト画像付近に注意を喚起するためのマークを表示させるようにしてもよい。
【００５５】
また、本実施形態では、ページ切り替えが指示された際に、未発声のキーワードが存在する場合に警告する場合について説明したが、キーワードの発声順序が予め定めた順序と異なる場合に警告するようにしてもよい。例えば、図４に示すキーワードテーブル５０に発声順序の項を設けたり、あるいはキーワードテーブル５０の各行のデータを発声順序に従って予め並べて記憶しておく。そして、発声されたキーワードの順序を確認し、そのキーワードよりも前に発声すべきキーワードが存在する場合には、その時点で上記の警告処理を行う。これにより、より正確かつスムーズにプレゼンテーションが行われるよう支援することができる。
【００５６】
また、例えばプレゼンテーション支援装置１６の表示部３４にプレゼンテーション用のシナリオ原稿を表示させ、これを見ながら発表を行うことができるような場合には、シナリオ原稿に含まれる文字列と一致する文字列を音声認識した場合に、その文字列の色を他の文字列と異なる色にして表示部３４に表示させるようにしてもよい。これにより、どこまで発表したかを容易に把握することができる。
【図面の簡単な説明】
【００５７】
【図１】プレゼンテーションシステムの概略構成図である。
【図２】プレゼンテーション支援装置の概略構成を示すブロック図である。
【図３】スライド画像の構成とキーワードとの関係について説明するためのイメージ図である。
【図４】キーワードテーブルの一例を示す図である。
【図５】プレゼンテーション支援装置で実行される制御ルーチンのフローチャートである。
【符号の説明】
【００５８】
１０      プレゼンテーションシステム
１２      スクリーン
１４      プロジェクター
１６      プレゼンテーション支援装置
１８      音声マイク
２０      リモコン
２２      発表者
３０      音声入力部
３２      音声認識部
３４      表示部
３６      操作部
３８      記憶部
４０      リモコン受光部
４２      通信部
４４      制御部
５０      キーワードテーブル
【図１】
2006085418.tif 000003
【図２】
2006085418.tif 000004
【図３】
2006085418.tif 000005
【図４】
2006085418.tif 000006
【図５】
2006085418.tif 000007